(57)【特許請求の範囲】
【請求項１】
特定部位に直接又は間接的に装着されるウェアラブルカメラであって、
カメラ筐体と、
前記カメラ筐体に収納され、周囲の映像を取得して動画像データを生成し、記憶媒体に記憶する撮像制御部と、
前記カメラ筐体に収納され、前記撮像制御部に電力を供給する電源部と、
前記カメラ筐体の動きの有無を検出する動き検出部と、
前記動き検出部により所定時間以上前記カメラ筐体の動きがないことが検出されたら、前記電源部からの電力の供給を停止する節電制御部と、を備え、
前記動き検出部及び前記節電制御部は、前記電源部の出力線に設けられた水銀スイッチ、ボールローリングスイッチ、チルトスイッチ又は加速度センサスイッチを含むウェアラブルカメラ。
【請求項２】
特定部位に直接又は間接的に装着されるウェアラブルカメラであって、
カメラ筐体と、
前記カメラ筐体に収納され、周囲の映像を取得して動画像データを生成し、記憶媒体に記憶する撮像制御部と、
前記カメラ筐体に収納され、前記撮像制御部に電力を供給する電源部と、
前記カメラ筐体の動きの有無を検出する動き検出部と、
前記動き検出部により所定時間以上前記カメラ筐体の動きがないことが検出されたら、前記電源部からの電力の供給を停止する節電制御部と、
前記カメラ筐体を前記特定部位に直接又は間接的に装着するためのブラケットと、を備え、
前記ブラケットと前記カメラ筐体とは、磁力のみによって固定されているウェアラブルカメラ。
【請求項３】
前記ブラケットは、前記カメラ筐体を回転可能に保持する請求項２に記載のウェアラブルカメラ。
【請求項４】
前記ブラケットは、前記カメラ筐体を揺動可能に保持する請求項２又は３に記載のウェアラブルカメラ。
【請求項５】
前記節電制御部は、前記動き検出部により前記カメラ筐体の動きが検出されたら、前記電源部からの電力の供給を再開する請求項１〜４のいずれか一項に記載のウェアラブルカメラ。
【請求項６】
前記撮像制御部は、
撮像レンズ及び撮像素子を有し、映像を取得して映像データを出力するカメラ部と、
前記映像データから動画データを生成する動画データ生成部と、
時刻データを出力する時計部と、
ＧＰＳ信号を取得するＧＰＳ取得部と、
前記動画データと前記時刻データと前記ＧＰＳ信号とを関連付けて記録する記録部と、を含む請求項１〜５のいずれか一項に記載のウェアラブルカメラ。
【請求項７】
前記カメラ筐体に設けられ、撮像方向に向かって照明光を照射する照明部をさらに備え、
前記電源部は、前記照明部に電力を供給する請求項１〜６のいずれか一項に記載のウェアラブルカメラ。
【請求項８】
前記特定部位は人体の頭部である請求項１〜７のいずれか一項に記載のウェアラブルカメラ。
【発明の詳細な説明】
【技術分野】
【０００１】
本発明は、節電機能を備えたウェアラブルカメラに関する。
【背景技術】
【０００２】
警察官や警備員の制服に装着するウェアラブルカメラが知られている（特許文献１）。
【先行技術文献】
【特許文献】
【０００３】
【特許文献１】特開２０１２−２０５１６３号公報
【発明の概要】
【発明が解決しようとする課題】
【０００４】
しかしながら、ウェアラブルカメラの電源は、警察官や警備員の勤務時間中に充電又は交換することは好ましくないため、電池容量を大きくする必要があり、重量及び大きさの点で改良の余地がある。
【０００５】
本発明が解決しようとする課題は、節電機能を備えたウェアラブルカメラを提供することである。
【課題を解決するための手段】
【０００６】
本発明は、人体の頭部その他の特定部位に直接又は間接的に装着されるウェアラブルカメラにおいて、カメラ筐体の動きの有無を検出する動き検出部により、所定時間以上カメラ筐体の動きがないことが検出されたら、電源部からの電力の供給を停止することにより、上記課題を解決する。特に、動き検出部及び節電制御部は、電源部の出力線に設けられた水銀スイッチ、ボールローリングスイッチ、チルトスイッチ又は加速度センサスイッチを含むか、又は、カメラ筐体を特定部位に直接又は間接的に装着するためのブラケットをさらに備え、ブラケットとカメラ筐体とは、磁力のみによって固定されている。
【発明の効果】
【０００７】
本発明によれば、ウェアラブルカメラを特定部位から取り外して静置させると電源部からの電力供給が停止するので、休憩時間等において節電効果を発揮する。
【図面の簡単な説明】
【０００８】
【図１】本発明に係るウェアラブルカメラの一実施の形態を示すブロック図である。
【図２】図１のウェアラブルカメラをヘルメットに装着した状態を示す正面図である。
【図３】図１のウェアラブルカメラを示す正面図である。
【図４】図１のウェアラブルカメラを示す背面図である。
【図５】図１のウェアラブルカメラを示す右側面図である。
【図６】図１のウェアラブルカメラを示す左側面図である。
【図７】図１のウェアラブルカメラを示す平面図である。
【図８】図１のウェアラブルカメラを示す底面図である。
【図９Ａ】図１のウェアラブルカメラをヘルメットに装着した状態の他例を示す正面図である。
【図９Ｂ】図９Ａのウェアラブルカメラ及びブラケットを示す斜視図である。
【図９Ｃ】図９Ａのウェアラブルカメラ及びブラケットを示す斜視図である。
【図９Ｄ】図９Ａのウェアラブルカメラ及びブラケットを示す斜視図である。
【図９Ｅ】図９Ａのウェアラブルカメラ及びブラケットを示す分解斜視図である。
【図１０Ａ】本発明に係るウェアラブルカメラに適用することができるブラケットの他例を示す斜視図である。
【図１０Ｂ】図１０Ａの正面図である。
【図１０Ｃ】図１０Ａの側面図である。
【図１０Ｄ】図１０Ａのブラケットの揺動部を示す斜視図である。
【発明を実施するための形態】
【０００９】
以下、本発明に係るウェアラブルカメラの一実施の形態として、警察官や警備員などが被るヘルメットＨに装着するタイプのウェアラブルカメラ１を例示する。ただし、本発明に係るウェアラブルカメラは、人体の頭部、人以外の動物、人間型ロボット、各種の機械、車両等々を代表的に含む特定部位に装着されるものが含まれる。また、たとえば人体の頭部に装着されるものであっても、人体の頭部に直接的に装着されるタイプのものと、間接的に装着されるタイプのものが含まれる。頭部に直接的に装着されるタイプのウェアラブルカメラとしては、ヘアバンドなどを含むブラケットを介して頭部に装着されるタイプのものが含まれる。これに対して、頭部に間接的に装着されるタイプのウェアラブルカメラとしては、ヘルメット、帽子、眼鏡その他の頭部に装着される物品に、ブラケットを介して装着されるタイプのものが含まれる。
【００１０】
人体の頭部に直接又は間接的に装着されるウェアラブルカメラ１にあっては、カメラの撮像方向が、頭部、すなわち視線の向きに応じて変動するので、装着者の視界と同じ方向の撮像データを自動的に得ることができるという利点がある。たとえば、上述した特許文献１に記載のウェアラブルカメラは、警察官や警備員の制服、すなわち身体に装着されるので、装着者が横を向いても身体が回転しない限り、その横方向の映像を取得することはできない。そのため、肝心の映像を撮り逃す可能性が高い。これに対して、頭部に装着する本例のウェアラブルカメラでは、装着者が横を向けばその動きに応じてカメラの撮像方向も動くので、装着者が注視した方向の映像を撮り逃すことが著しく低減される。
【００１１】
本例のウェアラブルカメラ１は、図１に示すように、カメラ１２と、マイクロホン１３と、Ａ／Ｄ変換器１４，１５と、画像エンコーダ１６と、音声エンコーダ１７と、多重化回路１８と、メモリドライブ１９と、ＳＤカード２０と、時計２１と、ＧＰＳ受信機２２（ＧＰＳ＝Global Positioning System）と、ＬＥＤ２３と、バッテリ２４と、動き検知スイッチ２５と、ビデオメモリ２６と、デコーダ２７と、ＨＤＭＩエンコーダ２８（ＨＤＭＩは登録商標、以下同じ。）と、充電端子２９と、ＬＥＤスイッチ３０と、ＬＥＤ入切ボタン３１と、操作入力ボタン３２と、ＨＤＭＩの出力端子３３とを備え、これらの構成部品が一つのカメラ筐体１１に設けられている。本例のウェアラブルカメラ１は、装着者の主として視線方向の状況を撮影するために、たとえば図２に示すようにヘルメットＨの側面にブラケットＢを用いて装着される。
【００１２】
カメラ１２は、撮像レンズ及びＣＣＤ撮像素子を含んで構成され、目的とする装着者の視線方向の環境映像を撮像する。そして、カメラ１２で撮像したアナログ画像信号は、Ａ／Ｄ変換器１４でデジタル画像信号に変換処理され、このデジタル画像信号は画像エンコーダ１６で符号化される。また、マイクロホン１３は、目的とする周囲の環境音声を集音する。そして、マイクロホン１３で集音したアナログ音声信号は、Ａ／Ｄ変換器１５でデジタル音声信号に変換処理され、このデジタル音声信号は音声エンコーダ１７で符号化される。多重化回路１８は、ＣＣＤカメラ１２で取得した所定フレームレートのデジタル映像信号とマイクロホン１３で取得したデジタル音声信号とを多重化し、メモリドライブ１９に出力する。こうした動画データは、ＭＰＥＧ規格やＭＯＶ方式などのフォーマットで生成することができる。
【００１３】
メモリドライブ１９は、ＳＤカード２０などの汎用携帯型記録媒体に多重化された映像・音声データを記録する。ＳＤカード２０は、メモリドライブ１９に対して着脱可能に構成され、そのため、図４の背面図に示すようにカメラ筐体１１にはＳＤカード２０を着脱するための開閉蓋３９が設けられている。そして、ＳＤカード２０の記録容量が一杯になってから最新の映像・音声データを記録する場合には、時間的に最古の映像・音声データは消去され、エンドレスにたえず最新の映像・音声データを記録するようにメモリドライブ１９により制御される。この場合に、記録のタイミングは任意の長さで設定することができる。なお、本例のウェアラブルカメラ１では、たとえば５分毎など、所定時間ごとにファイルを区切って記録するものとする。
【００１４】
時計２１は、カメラ１２の撮影年月日及び時刻を計測し、その年月日及び時刻データを画像エンコーダ１６にて画像データに同期して合成する。時計２１で計測した年月日及び時刻データは、再生時に画像データの一部としてディスプレイに表示される。なお、時計２１は多重化回路１８を構成するＣＰＵなどに内蔵された時計を用いてもよいし、専用の時計を用いてもよい。また専用又は汎用の時計２１に代えて、後述するＧＰＳ受信機２２で取得したＧＰＳ信号に含まれる絶対時刻を用いてもよい。
【００１５】
本例のＧＰＳ受信機２２は、主として時計２１の時刻合わせに用いられる。すなわち、ＧＰＳ受信機２２は消費電力が比較的大きいことから、通常は取り外しておき、時計２１の時刻を合わせる場合に装着する。そのため、図４の背面図に示すようにカメラ筐体１１にはＧＰＳ受信機２２を着脱するための開閉蓋３７が設けられている。ただし、目的とする動画データに撮像位置データを関連付けて記録する場合はＧＰＳ受信機２２を常時装着してもよい。この場合には、ＧＰＳ衛星からの信号を所定時間間隔、具体的には動画データのファイルを区切る時間と同期して受信し、これを多重化回路１８に出力する。ＧＰＳ信号は、衛星に搭載された原子時計による時刻データと、衛星の軌道情報、すなわち位置データ（緯度及び経度）とが含まれるＮＭＥＡ方式のデータである。多重化回路１８は、この位置データを、時計２１からの時刻データとともに、撮影された動画データ（映像・音声データ）に多重化したのち、メモリドライブ１９は、この多重化データをＳＤカード２０に記録する。
【００１６】
デコーダ２７は、ウェアラブルカメラ１の出力端子３３を、ＨＤＭＩなどのデジタル映像信号に対応したＨＤディスプレイに接続し、当該ディスプレイにてＳＤカード２０に記録した映像・音声データを視聴する場合に機能する。そのため、図４の背面図に示すようにカメラ筐体１１にはＨＤＭＩ端子にケーブルを着脱するための開閉蓋３８が設けられている。すなわち、フレームレートがＮｆｐｓで記録された映像・音声データをＳＤカード２０からビデオメモリ２６に読み出し、当該ビデオメモリ２６からデコーダ２７に対して、２５ｆｐｓ又は３０ｆｐｓに対応する周波数で出力する。たとえば、日本やアメリカなどのＮＴＳＣ(National Television System Committee)規格の国々のフレームレートは３０ｆｐｓ、ヨーロッパなどＰＡＬ(Phase Alternating Line)規格の国々のフレームレートは２５ｆｐｓである。したがって、ＮＴＳＣ規格に対応した再生装置で再生する場合にはビデオメモリ２６からデコーダ２７に対して３０ｆｐｓに相当する周波数で映像・音声データを出力し、ＰＡＬ規格に対応した再生装置で再生する場合にはビデオメモリ２６からデコーダ２７に対して２５ｆｐｓに相当する周波数で映像・音声データを出力する。
【００１７】
デコーダ２７に入力されたビデオメモリ２６からの映像・音声データは、３０ｆｐｓ又は２５ｆｐｓに相当する周波数で出力され、ここで一旦デコードされたのち、ＨＤＭＩエンコーダ２８に出力され、出力端子３３を介して再生用画像データとしてディスプレイに出力される。こうした操作は、カメラ筐体１１に設けられた操作入力ボタン３２により行われる。
【００１８】
ＬＥＤ２３は、必要に応じて、カメラ筐体１１のカメラ１２の光軸方向に向かってＬＥＤ照明を照射するために、当該カメラ筐体１１に設けられている。ＬＥＤ２３は、装着者がＬＥＤ入切ボタン３１を押すことでＬＥＤスイッチ３０がＯＮし、ＬＥＤ２３が点灯する。また再度ＬＥＤ入切ボタン３１を押すことでＬＥＤスイッチ３０がＯＦＦし、これによりＬＥＤ２３が消灯する。
【００１９】
本例のウェアラブルカメラ１のバッテリ２４は、一次電池又は二次電池により構成され、Ａ／Ｄ変換器１４，１５と、画像エンコーダ１６と、音声エンコーダ１７と、多重化回路１８と、メモリドライブ１９と、時計２１と、ＧＰＳ受信機２２と、ビデオメモリ２６と、デコーダ２７と、ＨＤＭＩエンコーダ２８とで構成される撮像制御部３４に電力を供給する。また、ＬＥＤ２３にも電力を供給する。なお、バッテリ２４が二次電池の場合は、カメラ筐体１１に設けられた充電端子２９に充電用機器を接続することでバッテリ２４が充電される。
【００２０】
バッテリ２４と撮像制御部３４およびＬＥＤ２３との間の電力線には、電源スイッチ３５が介装され、装着者が電源入切ボタン３６を押すことで電源スイッチ３５がＯＮし、バッテリ２４から撮像制御部３４およびＬＥＤ２３へ電力が供給される。また再度、電源入切ボタン３６を押すことで電源スイッチ３５がＯＦＦし、これにより撮像制御部３４およびＬＥＤ２３への電力の供給が遮断される。
【００２１】
本例においては、バッテリ２４と撮像制御部３４およびＬＥＤ２３との間の電力線の、前記電源スイッチ３５の下流側に、動き検知スイッチ２５が介装されている。本発明に係る動き検出部は、カメラ筐体１１の動きの有無を検出する機能を司り、本発明に係る節電制御部は、動き検出部により所定時間以上、カメラ筐体１１の動きがないことが検出されたら、バッテリ２４からの電力の供給を停止する機能を司るが、本実施形態の動き検知スイッチ２５は、これら動き検出部と節電制御部の両方の機能を備える。具体的には、動き検知スイッチ２５は、水銀スイッチ、ボールローリングスイッチ、チルトスイッチ又は加速度センサスイッチなどのような、スイッチ自体の姿勢の変動に応じて接点をＯＮ／ＯＦＦするスイッチ類からなる。そして、本例の動き検知スイッチ２５は、カメラ筐体１１に固定され、当該カメラ筐体１１が、所定時間以上動きがない状態、すなわち静止している場合には、動き検知スイッチ２５がＯＦＦし、所定時間以内に何らかの動きがある場合には、動き検知スイッチ２５がＯＮする。
【００２２】
これにより、動き検知スイッチ２５自体は電力を消費せず、また所定時間以上、カメラ筐体１１が静止状態を継続した場合には動き検知スイッチ２５がＯＦＦしてバッテリ２４から撮像制御部３４およびＬＥＤ２３へ電力の供給が停止する。その結果、警察官や警備員等が、休憩時間などにヘルメットＨを脱いで静置すると自動的に節電モードに移行することになる。
【００２３】
ちなみに、本例のウェアラブルカメラ１は、図２に示すようにヘルメットＨの側面にブラケットＢを介して装着される。図２においてヘルメットＨの左右方向をＸ（左方向が＋Ｘ），上下方向をＹ（上方向が＋Ｙ），前後方向をＺ（前方向が＋Ｚ）とし、図３〜図８の正面図、背面図、右側面図、左側面図、平面図及び底面図にもＸＹＺ方向を示す。ブラケットＢの形状や構造は特に限定されないが、ヘルメットＨなどのように強度が定められている物品については接着により装着するタイプのものが好ましい。図示する例のブラケットＢは、カメラ筐体１１と一体的に成形された第１ブラケットＢ１と、ヘルメットＨ側に接着される第２ブラケットＢ２からなり、図４に示すように第１ブラケットＢ１が凸状溝を含み、第２ブラケットＢ２が当該凸状溝を受容する凹状溝を含むように形成する。そして、前後方向Ｚに向かって第２ブラケットＢ２の凹状溝に第１ブラケットＢ１の凸状溝をスライドさせることで第１ブラケットＢ１を第２ブラケットＢ２に対して着脱することが可能とされている。なお、第２ブラケットＢ２は両面接着テープＢ３によりヘルメットＨに接着させる。
【００２４】
なお、本発明のウェアラブルカメラは、少なくとも動画を撮像して記録する機能とバッテリ２４の節電機能とを備えればよいので、図１に示す実施形態のウェアラブルカメラ１のうち、音声データの入力機能と、ＳＤカード２０に記録した動画の再生機能と、時刻データ及び／又は位置データの取得機能は、必要に応じて省略してもよい。
【００２５】
本例のウェアラブルカメラ１をヘルメットＨの側面に装着する場合に、上述したようなブラケットＢを介して装着されるが、カメラ筐体１１をブラケットＢに対して離脱可能に構成することが望ましいこともある。カメラ筐体１１が何かに引っ掛かるとヘルメットＨまで引っ張られる場合もあるからである。また、常態時においてはカメラ１２の光軸とヘルメットＨの装着者の視線が一致していることが望ましいが、たとえば交通違反者等に尋問する際にはカメラ１２の光軸が交通違反者等を向くことが望ましくない場合もある。さらに、本例のウェアラブルカメラ１を装着するヘルメットＨなどの形状や装着位置などによって、カメラ１２の光軸と装着者の視線とを一致させるべくカメラ筐体１１の姿勢を微調整したい場合もある。
【００２６】
図９Ａ〜図９Ｅは、本例のウェアラブルカメラ１をヘルメットＨの側面に装着する場合に用いられる、他の実施の形態に係るブラケットＢを示す図であり、図９Ａはウェアラブルカメラ１をヘルメットＨに装着した状態を示す正面図、図９Ｂ〜図９Ｄはウェアラブルカメラ１にブラケットＢを装着した状態を示す斜視図、図９ＥはブラケットＢの分解斜視図である。図９Ａ〜図９Ｅに示すブラケットＢは、図２〜図８に示すブラケットＢと同様に、第１ブラケットＢ１、第２ブラケットＢ２及び両面接着テープＢ３を備えるが、第１ブラケットＢ１がネオジウム磁石などの永久磁石からなり、第２ブラケットＢ２の第１ブラケットＢ１装着面が鉄などの磁性体からなる点が相違する。すなわち、図９Ｅに示すように、本例のブラケットＢは、ウェアラブルカメラ１のカメラ筐体１１にボルトなどで固定される円盤状のネオジウム磁石からなる第１ブラケットＢ１と、一方の面に第１ブラケットＢ１の厚さとほぼ等しい円形状の凹部（この面に磁性体が設けられる）を有し、この凹部に第１ブラケットＢ１を受容する略円筒状のプラスチックからなる第２ブラケットＢ２と、第２ブラケットＢ２の他方の面に設けられた両面接着テープＢ３とを備える。
【００２７】
第２ブラケットＢ２は、両面接着テープＢ３によりヘルメットＨの側面の所望箇所に固定される。第１ブラケットＢ１は、上述したとおりボルトなどによりカメラ筐体１１に固定される。そして、第２ブラケットＢ２の円形状の凹部（不図示）に円盤状の第１ブラケットＢ１を挿入すれば、ネオジウム磁石の磁力によりウェアラブルカメラ１がブラケットＢに保持される。この結果、多少の振動が加わってもウェアラブルカメラ１はブラケットＢに保持されるが、何か異物に引っ掛かった場合にはウェアラブルカメラ１がブラケットＢから外れる。これにより、ヘルメットＨまで引っ張られることが予防できる。
【００２８】
これと同時に、円盤状の第１ブラケットＢ１と、第２ブラケットＢ２の円形状の凹部とは磁力により吸着されているだけなので、相対的に回転可能となる。したがって、ウェアラブルカメラ１をブラケットＢの中心軸廻りに回転させることができる。この結果、たとえば交通違反者等に尋問する際には、ウェアラブルカメラ１を交通違反者等から逸らすために、ウェアラブルカメラ１を容易に回転させることができる。
【００２９】
ちなみに、図９Ａ〜図９Ｅに示すブラケットＢは、ウェアラブルカメラ１を回転させることはできるが回転方向以外の方向に対して姿勢を変更することはできない。したがって、第２ブラケットＢ２を両面接着テープＢ３で固定する場合には、そのヘルメットＨの形状に応じた適切な位置に固定する必要がある。このため、たとえば第２ブラケットＢ２の外周縁からヘルメットＨの定位置（たとえば、顎紐を固定するためのビスなどのような規格化された位置に設けられる部品や、ヘルメットの縁部）まで延在する舌片を設け、この舌片を位置決め用テンプレートとして第２ブラケットＢ２を貼り付けてもよい。また、別部品として位置決め用フィルムをブラケットＢとともに同封し、位置決め用フィルムをテンプレートとして第２ブラケットＢ２を貼り付けてもよい。
【００３０】
図１０Ａは、本例のウェアラブルカメラ１に適用することができるブラケットＢのさらなる他例を示す斜視図、図１０Ｂ及び図１０Ｃは図１０Ａの正面図及び側面図、図１０Ｄは図１０ＡのブラケットＢの揺動部Ｂ４を示す斜視図である。図９Ａに示すブラケットＢは、ウェアラブルカメラ１を回転可能且つ離脱可能に保持することができるものであるが、ウェアラブルカメラ１の姿勢を回転方向以外の方向に設定することはできない。これに対して、図１０Ａ〜図１０Ｄに示すブラケットＢは、ウェアラブルカメラ１を回転可能且つ離脱可能に保持することができることに加えて、ウェアラブルカメラ１の姿勢を回転方向以外の方向に設定することができる。
【００３１】
すなわち、図１０Ａ〜図１０Ｄに示すブラケットＢは、図２〜図８及び図９Ａ〜図９Ｅに示すブラケットＢと同様に、第１ブラケットＢ１（図示を省略するが図９Ｅと同様である）、第２ブラケットＢ２及び両面接着テープＢ３を備える。すなわち、本例のブラケットＢは、図９Ｅと同様にウェアラブルカメラ１のカメラ筐体１１にボルトなどで固定される円盤状のネオジウム磁石からなる第１ブラケットＢ１と、図１０Ａに示すように一方の面に第１ブラケットＢ１の厚さとほぼ等しい円形状の凹部（この面に磁性体が設けられる）を有し、この凹部に第１ブラケットＢ１を受容する略円筒状のプラスチックからなる第２ブラケットＢ２を備える。本例のブラケットＢは、これに加えて、第２ブラケットＢ２をヘルメットＨに対して揺動可能に支持するための揺動部Ｂ４と、両面接着テープＢ３にて固定される第３ブラケットＢ５とを備える。
【００３２】
第３ブラケットＢ５は、第２ブラケットＢ２及び揺動部Ｂ４と同様にプラスチックからなり、図１０Ａに示すように花弁のような複数の凸状片から構成されている。これにより、ヘルメットＨの装着面が多少非平面であっても第３ブラケットＢ５の浮きなどが防止され、両面接着テープＢ３により強力に接着させることができる。
【００３３】
揺動部Ｂ４は、図１０Ｂ〜図１０Ｄ（特に図１０Ｄに揺動部Ｂ４を構成する部品のみを抽出する）に示すように、一対の半アーチ状アームＢ４１，Ｂ４２と、これらがそれぞれ貫通する一対の貫通孔を有しこれらを保持する一対の保持部Ｂ４３，Ｂ４３を備える。一対のアームＢ４１，Ｂ４２のうちの一方のアームＢ４１は、その両端が第３ブラケットＢ５に固定される。また、一対のアームＢ４１，Ｂ４２のうちの他方のアームＢ４２は、その両端が第２ブラケットＢ２に固定される。これら一対のアームＢ４１，Ｂ４２を第２ブラケットＢ２及び第３ブラケットＢ５に固定したのち、一対の保持部Ｂ４３は、ボルト及びナットにより互いに固定される。ちなみに、保持部Ｂ４３は、第２ブラケットＢ２及び第３ブラケットＢ５には固定されない。このように、半アーチ状のアームＢ４１，Ｂ４２を９０°の位相をもって配置し、保持部Ｂ４３により保持することにより、第２ブラケットＢ２は、第３ブラケットＢ５（延いてはヘルメットＨ）に対して揺動可能に保持される。
【００３４】
以上のとおり、本例のブラケットＢを用いればヘルメットＨの装着位置が正確でなくても揺動部Ｂ４によってウェアラブルカメラ１の姿勢を微調整することができる。
【符号の説明】
【００３５】
１…ウェアラブルカメラ
１１…カメラ筐体
１２…カメラ
１３…マイクロホン
１４，１５…Ａ／Ｄ変換器
１６…画像エンコーダ
１７…音声エンコーダ
１８…多重化回路
１９…メモリドライブ
２０…ＳＤカード
２１…時計
２２…ＧＰＳ受信機
２３…ＬＥＤ
２４…バッテリ
２５…動き検知スイッチ
２６…ビデオメモリ
２７…デコーダ
２８…ＨＤＭＩエンコーダ
２９…充電端子
３０…ＬＥＤスイッチ
３１…ＬＥＤ入切ボタン
３２…操作入力ボタン
３３…出力端子
３４…撮像制御部
３５…電源スイッチ
３６…電源入切ボタン
３７〜３９…開閉蓋
Ｈ…ヘルメット
Ｂ…ブラケット
Ｂ１…第１ブラケット
Ｂ２…第２ブラケット
Ｂ３…両面接着テープ
Ｂ４…揺動部
Ｂ５…第３ブラケット
【図１】
0006596328.tif 000002
【図２】
0006596328.tif 000003
【図３】
0006596328.tif 000004
【図４】
0006596328.tif 000005
【図５】
0006596328.tif 000006
【図６】
0006596328.tif 000007
【図７】
0006596328.tif 000008
【図８】
0006596328.tif 000009
【図９Ａ】
0006596328.tif 000010
【図９Ｂ】
0006596328.tif 000011
【図９Ｃ】
0006596328.tif 000012
【図９Ｄ】
0006596328.tif 000013
【図９Ｅ】
0006596328.tif 000014
【図１０Ａ】
0006596328.tif 000015
【図１０Ｂ】
0006596328.tif 000016
【図１０Ｃ】
0006596328.tif 000017
【図１０Ｄ】
0006596328.tif 000018